(57)【要約】【課題】  被監視領域に対する取付作業およびそれに伴う調整作業を簡略化できる監視技術を提供する。【解決手段】  被監視領域(たとえば駐車場90)を撮影してその撮影データを管理サーバへ送信する装置とする。撮影データを取得するカメラ(20)と、そのカメラ(20)が取得した撮影データを管理サーバ(70)へ送信する無線通信装置(60)と、被監視領域(90)に設けられた電源ボックス(55)へ接続されてカメラ(20)および無線通信装置(60)へ電気を供給するためのプラグ(50)と、カメラ(20)および無線通信装置(60)において内蔵すべき機器を内蔵するための筐体(10)とを備える。  無線通信装置(60)は、管理サーバ(70)から発信されるカメラ撮影領域等を調整するためのカメラ制御データを受信し、カメラ(20)は、カメラ制御データを無線通信装置(60)から受信し、カメラ撮影領域等を調整可能に形成する。【選択図】  図１
2015008366.tif 000002
【特許請求の範囲】
【請求項１】
被監視領域を撮影してその撮影データを管理サーバへ送信する装置であって、
前記の撮影データを取得するカメラと、
そのカメラが取得した撮影データを管理サーバへ送信する無線通信装置と、
前記の被監視領域に設けられた電源へ接続されて前記カメラおよび無線通信装置へ電気を供給するためのプラグと、
前記カメラおよび無線通信装置において内蔵すべき機器を内蔵するための筐体と、を備え、
前記の無線通信装置は、前記の管理サーバから発信されるカメラ撮影領域等を調整するためのカメラ制御データを受信し、
前記のカメラは、前記カメラ制御データを無線通信装置から受信し、カメラ撮影領域等を調整可能に形成した監視装置。
【請求項２】
被監視領域にて発生する音を集めるマイクを備え、
前記の無線通信装置は、前記マイクによって集音された音声データを管理サーバへ送信することとした請求項１に記載の監視装置。
【請求項３】
画像データを出力可能なディスプレイを備え、
前記の無線通信装置は、前記ディスプレイへ出力させる画像データを管理サーバから受信することとした請求項１または請求項２のいずれかに記載の監視装置。
【請求項４】
被監視領域を撮影するカメラおよびそのカメラが取得した撮影データを送信するための無線通信装置を備えた監視装置から撮影データを受信する監視サーバであって、
監視装置から撮影データを受信するデータ受信装置と、
受信した撮影データを蓄積する管理データベースと、
受信した画像データを出力する画像出力装置と、
前記カメラにおけるカメラ撮影領域等を調整するためのカメラ制御データを入力するカメラ制御データ入力装置と、
そのカメラ制御データ入力装置から入力されたカメラ制御データを前記の監視装置における無線通信装置へ送信するデータ送信装置と、
を備えた監視サーバ。
【請求項５】
前記の監視装置に被監視領域にて発生する音を集めるマイクを備えられ、  前記の無線通信装置は前記マイクによって集音された音声データを管理サーバへ送信することとしている場合において、
前記のデータ受信装置は、前記の音声データを受信し、
前記の管理データベースは、その音声データを蓄積することとした請求項４に記載の監視サーバ。
【請求項６】
前記の監視装置に画像データを出力可能なディスプレイが備えられている場合において、そのディスプレイへ出力するための画像データを蓄積する出力画像データベースを備え、
前記データ送信装置は、その出力画像データベースに蓄積された画像データを監視装置へ送信可能に形成した請求項４または請求項５のいずれかに記載の監視サーバ。
【請求項７】
前記のデータ受信装置が受信した画像データを、所定の情報端末から閲覧可能とする閲覧用サーバを備えることとした請求項４から請求項６のいずれかに記載の監視サーバ。
【請求項８】
被監視領域を撮影するカメラおよびそのカメラが取得した撮影データを送信するための無線通信装置を備えた監視装置から撮影データを受信する監視サーバを制御するコンピュータプログラムであって、
そのプログラムは、  監視装置から撮影データを受信するデータ受信手順と、
受信した画像データを出力する画像出力手順と、
受信した撮影データを管理データベースへ蓄積する撮影データ蓄積手順と、
前記カメラにおけるカメラ撮影領域等を調整するためのカメラ制御データの入力を受け付けるカメラ制御データ入力手順と、
そのカメラ制御データ入力手順にて入力されたカメラ制御データを前記の監視装置における無線通信装置へ送信するデータ送信手順と、
を前記の監視サーバに実行させることとしたコンピュータプログラム。
【請求項９】
前記の監視装置に被監視領域にて発生する音を集めるマイクを備えられ、  前記の無線通信装置は前記マイクによって集音された音声データを管理サーバへ送信することとしている場合において、
前記の音声データを受信する音声データ受信手順と、
その音声データを蓄積する音声データ蓄積手順と、を前記の監視サーバに実行させることとした請求項８に記載のコンピュータプログラム。
【請求項１０】
前記の監視装置に画像データを出力可能なディスプレイが備えられている場合において、
そのディスプレイへ出力するための画像データを出力画像データベースへ蓄積する出力画像データ蓄積手順と、
その蓄積された出力画像データを監視装置へ送信する出力画像データ送信手順と、を前記の監視サーバに実行させることとした請求項８または請求項９のいずれかに記載のコンピュータプログラム。
【発明の詳細な説明】
【技術分野】
【０００１】
本発明は、駐車場などを監視する監視装置、監視サーバおよびコンピュータプログラムに関する。
【背景技術】
【０００２】
駐車場は、車上荒らし対策や車両に対する悪戯の抑止対策などのために、駐車場内に監視カメラを設置することが多い。
そして、警備員が常駐するモニタルーム内に上記監視カメラが撮影した画像を再生するモニタを配置する構成としたセキュリティシステムを設置する。
【０００３】
特許文献１に記載された技術では、駐車場内のセキュリティシステムと、駐車する車両へ搭載するセキュリティシステムとを連動させることで、セキュリティを向上させる技術が開示されている。
【０００４】
特許文献２に記載された技術では、駐車場に設置された監視カメラまたは駐車する車両へ搭載したカメラによる撮影精度の高い領域へ優先的に駐車させることによって、セキュリティを向上させる技術が開示されている。
【０００５】
特許文献３に記載された技術では、駐車する車両から駐車予定の時刻などの駐車スケジュールを取得するシステムである。すなわち、駐車されている予定の時間帯において車両が起動したり、移動したりした場合には、異常であると判断することによって、セキュリティを向上させる技術が開示されている。
【先行技術文献】
【特許文献】
【０００６】
【特許文献１】特開２００２−２１６２５６号公報
【特許文献２】特開２０１０−２７７４２０号公報
【特許文献３】特開２０１１−１８１００３号公報
【発明の概要】
【発明が解決しようとする課題】
【０００７】
駐車場における犯罪行為の発生は、監視カメラの存在によって抑制できることが経験的に把握されている。  したがって、監視カメラを数多く設置することが臨まれている。監視カメラそのものの価格は低下しており、設置を望む駐車場オーナーも増えている。
しかし、監視カメラの設置は、カメラの画角が適正となるまでに調整作業が必要である。この調整作業を監視カメラを設置する現場にて、平均で数時間を要する。すなわち、ハードウェア価格は下がっているものの、設置までを含めたコストは大きく下げられずにいるのが現状である。
【０００８】
監視カメラによって撮影した画像データの管理についても、問題が残っている。  撮影した画像データは、監視カメラ内部のハードディスクなどの記録媒体へ蓄積しつつ、古いデータから消去する方法が一般的である。ＰＨＳ回線を確保し、画像データを管理サーバへ送信する、といった手法も採用されている。
しかし、いずれの手法でも、画像データの管理手法として合理的とは言えない。
【０００９】
駐車場の無人化によって、駐車場ユーザと駐車場管理者との通信手段が必須である。現在は、駐車場に電話機を設置するとともに、その電話機が駐車場管理者へ直接繋がるようにしている。
しかし、その通信手段は音声のみであり、画像を含めた双方向通信が望ましい。駐車場ユーザおよび駐車場管理者のいずれもが安心できるからである。
【００１０】
本発明が解決すべき課題は、被監視領域に対する取付作業およびそれに伴う調整作業を簡略化できる監視技術を提供することにある。
【課題を解決するための手段】
【００１１】
（第一の発明）
第一の発明は、被監視領域(たとえば駐車場90)を撮影してその撮影データを管理サーバへ送信する装置に係る。
すなわち、前記の撮影データを取得するカメラ(20)と、  そのカメラ(20)が取得した撮影データを管理サーバ(70)へ送信する無線通信装置(60)と、  前記の被監視領域(90)に設けられた電源(たとえば電源ボックス55)へ接続されて前記カメラ(20)および無線通信装置(60)へ電気を供給するためのプラグ(50)と、  前記カメラ(20)および無線通信装置(60)において内蔵すべき機器を内蔵するための筐体(10)とを備える。
前記の無線通信装置(60)は、前記の管理サーバ(70)から発信されるカメラ撮影領域等を調整するためのカメラ制御データを受信し、  前記のカメラ(20)は、前記カメラ制御データを無線通信装置(60)から受信し、カメラ撮影領域等を調整可能に形成した。
【００１２】
（用語説明）
「被監視領域」とは、不特定多数の人間が集まったり移動したりする空間である。駐車場(90)のほか、たとえばイベント会場、公共施設などがあり得る。
「カメラ(20)」とは、静止画像を撮影するもの、動画を撮影するもの、いずれでもよい。ただし、取得した画像データは送信対象となるので、デジタルカメラであることが望ましい。画像データは、定期的に取得する場合、連続的に取得する場合など、色々なパターンがある。
「無線通信装置(60)」とは、代表的には、無線ＬＡＮルータである。携帯電話通信網へ接続される無線ＬＡＮルータ、光ファイバなどの高速通信網に接続される無線ＬＡＮルータ（本願に係る監視装置とは別途設けられた無線ＬＡＮルータたる親機に対する子機としての無線通信装置）のいずれでもよい。
「管理サーバ(70)」とは、被監視領域に関する監視の責任を負う主体（被監視領域が駐車場の場合、駐車場の管理人、駐車場の管理会社）が運用、管理するサーバである。送信されてきた画像データを所定期間保存したり、被監視領域のユーザや警察等といった第三者から開示要求があった場合に、保存している画像データを開示したりする。
【００１３】
（作用）
被監視領域(90)に設けられた電源(55)へプラグ(50)を接続し、前記カメラ(20)および無線通信装置(60)へ電気を供給する。  カメラ(20)は、被監視領域(90)を撮影し、そのカメラ(20)が取得した撮影データは、無線通信装置(60)が管理サーバ(70)へ送信する。
管理サーバ(70)は、受信した撮影データに基づいて、カメラ撮影領域等を調整するためのカメラ制御データを無線通信装置(60)へ送信する。そのカメラ制御データを受信した無線通信装置(60)は、カメラ(20)へカメラ制御データを送信する。カメラ(20)は、そのカメラ制御データに基づいてカメラ撮影領域等を調整する。
カメラ撮影領域等が調整されたカメラ(20)は、被監視領域(90)を撮影し、カメラ(20)が取得した撮影データは、無線通信装置(60)が管理サーバ(70)へ無線にて送信する。管理サーバ(70)は、受信した撮影データを管理する。
【００１４】
カメラ(20)を被監視領域(90)に設置後に、遠隔にてカメラ撮影領域等を調整可能であるため、被監視領域(90)における設置作業の負担を軽減できる。
設置作業が簡便化することによって、本願に係る監視装置を一旦設置した場所から、他の設置場所へ移動させることも簡単になる。
【００１５】
（第一の発明のバリエーション１）
第一の発明は、以下のように構成することもできる。
すなわち、被監視領域(90)にて発生する音を集めるマイク(40)を備え、  前記の無線通信装置(60)は、前記マイク(40)によって集音された音声データを管理サーバ(70)へ送信することとしてもよい。
また、マイク(40)にて集音した音声データが所定以上の音量であったり、車両へのいたずらが想定される所定周波数の音声などであったりした場合には、その音声データの集音をトリガーとしてカメラ(20)が撮影して取得する画像データの量や質を変更することも可能である。たとえば、撮影を停止していたカメラ(20)が撮影を開始したり、撮影中である場合にはその画質を向上させたり、当該音声データが発生する方向へズームアップしたりしての撮影に切り替える、などである。
【００１６】
（作用）
マイク(40)は、被監視領域(90)にて発生する音を集音し、音声データに変換する。そして、無線通信装置(60)は、前記マイク(40)によって集音された音声データを管理サーバ(70)へ送信する。
マイク(40)にて集音した音声データをトリガーとしてカメラ(20)が取得する画像データの量や質を変更した場合、犯罪や事故に関わる画像データを取得する確率を向上させられる。  反射的に、犯罪の発生率を低下させることにも寄与する。
【００１７】
（第一の発明のバリエーション２）
第一の発明は、以下のように構成することもできる。
すなわち、画像データを出力可能なディスプレイ(30)を備え、  前記の無線通信装置(60)は、前記ディスプレイ(30)へ出力させる画像データを管理サーバ(70)から受信することとしてもよい。
管理サーバ(70)から受信する画像データは、静止画像、動画像のいずれでもよい。
また、前記ディスプレイ(30)は、前記カメラ(20)が撮影した画像データを出力することもできることとしてもよい。
【００１８】
（作用）
無線通信装置(60)が、ディスプレイ(30)へ出力させる画像データを管理サーバ(70)から受信する。ディスプレイ(30)は、受信した画像データを出力させる。
これによって、被監視領域(90)にいる人に対して、お知らせしたい情報や広告などを出力できる。また、管理サーバ(70)から常に最新の画像データを送信すれば、タイムリーな情報発信が可能となる。
【００１９】
（マイクおよびディスプレイの応用）
前述のバリエーション１および２にて各々示したが、マイク(40)およびディスプレイ(30)の両方を備えた監視装置であれば、被監視領域(90)にいる人と管理サーバ(70)を操作する人とが、双方向通信によるコミュニケーションをすることができる監視装置とすることも可能である。
【００２０】
（第二の発明）
第二の発明は、  被監視領域(90)を撮影するカメラ(20)およびそのカメラ(20)が取得した撮影データを送信するための無線通信装置(60)を備えた監視装置から撮影データを受信する監視サーバ(70)に係る。
すなわち、監視装置から撮影データを受信するデータ受信装置(71)と、  受信した撮影データを蓄積する管理データベース(72)と、  受信した画像データを出力する画像出力装置(75)と、  前記カメラ(20)におけるカメラ撮影領域等を調整するためのカメラ制御データを入力するカメラ制御データ入力装置(76)と、  そのカメラ制御データ入力装置(76)から入力されたカメラ制御データを前記の監視装置における無線通信装置へ送信するデータ送信装置(74)と、を備えた監視サーバ(70)である。
【００２１】
（作用）
データ受信装置(71)は、監視装置に係るカメラ(20)が撮影した撮影データを、無線通信装置(60)を介して受信する。  受信した撮影データは、管理データベース(72)が蓄積する。
一方、受信した画像データは、監視サーバ(70)における管理者が、必要に応じて（たとえば被監視領域(90)へ監視装置を初めて設置したような場合）、画像出力装置(75)に出力する。  管理者は、画像出力装置(75)から出力される画像データを見ながら、カメラ制御データ入力装置(76)を用いて、当該カメラ(20)におけるカメラ撮影領域等が適正となるように調整するためのカメラ制御データを入力する。  そのカメラ制御データは、データ送信装置(74)が監視装置における無線通信装置(60)へ送信する。
監視装置におけるカメラ(20)は、受信したカメラ制御データを用いてカメラ撮影領域等が適正となるように調整される。  以上により、カメラ(20)を被監視領域(90)に設置後に、遠隔にてカメラ撮影領域等を調整可能となり、被監視領域(90)における設置作業の負担を軽減できる。
【００２２】
（第二の発明のバリエーション１）
第二の発明は、以下のように構成することもできる。
すなわち、前記の監視装置に被監視領域(90)にて発生する音を集めるマイク(40)を備えられ、  前記の無線通信装置(60)は前記マイク(40)によって集音された音声データを管理サーバ(70)へ送信することとしている場合において、  前記のデータ受信装置(71)は、前記の音声データを受信し、前記の管理データベース(72)は、その音声データを蓄積することとしてもよい。
【００２３】
（作用）
データ受信装置(71)が、マイク(40)が集音した音声データを受信し、前記の管理データベース(72)がその音声データを蓄積する。
たとえば、音声データが所定以上の音量であったり、車両へのいたずらが想定される所定周波数の音声などであったりした場合には、管理データベース(72)に蓄積される画像データを重要データとして消去しないように保存する。
一般に、管理データベース(72)に蓄積される画像データは、所定期間が経過したら消去し、それによって新たな画像データを蓄積できる領域を確保するが、前記の「重要データ」は、後に必要となる場合が想定されるので、消去する所定期間を通常の画像データよりも長い期間とするなどして管理する。
【００２４】
（第二の発明のバリエーション２）
第二の発明は、以下のように構成することもできる。
すなわち、前記の監視装置に画像データを出力可能なディスプレイ(30)が備えられている場合において、そのディスプレイ(30)へ出力するための画像データを蓄積する出力画像データベース（たとえば広告データベース73）を備え、  前記データ送信装置(74)は、その出力画像データベース(73)に蓄積された画像データを監視装置へ送信可能としても良い。
【００２５】
（作用）
前記データ送信装置(74)は、出力画像データベース(73)に蓄積された画像データを監視装置へ送信する。監視装置の無線通信装置(60)が受信した画像データは、ディスプレイ(30)に出力される。  これによって、被監視領域(90)にいる人に対して、お知らせしたい情報や広告などを出力できる。また、管理サーバ(70)から常に最新の画像データを送信すれば、タイムリーな情報発信が可能となる。
【００２６】
（第二の発明のバリエーション３）
第二の発明は、以下のように構成することもできる。
すなわち、前記のデータ受信装置(71)が受信した画像データを、所定の情報端末(たとえば携帯端末80)から閲覧可能とする閲覧用サーバ(77)を備えることとしても良い。
「情報端末」とは、たとえば駐車場ユーザが所有する携帯電話、携帯パソコンなどの携帯端末(80)である。一般には、管理サーバ(70)から発行されるＩＤやパスワードを用いて閲覧用サーバ(77)へアクセス可能とする。
【００２７】
所定の情報端末(80)から閲覧用サーバ(77)へアクセスすれば、被監視領域(90)の画像データを閲覧可能である。閲覧用サーバ(77)へアクセスできる情報端末(80)が、駐車場の利用者に係る携帯電話であれば、その利用者は、自分が駐車した車両を確認できることとなる。
【００２８】
（第三の発明）
第三の発明は、第二の発明に係る監視サーバ(70)にインストールされるコンピュータプログラムであり、  被監視領域を撮影するカメラおよびそのカメラが取得した撮影データを送信するための無線通信装置を備えた監視装置から撮影データを受信する監視サーバを制御するコンピュータプログラムである。
そのプログラムは、  監視装置から撮影データを受信するデータ受信手順と、  受信した画像データを出力する画像出力手順と、  受信した撮影データを管理データベースへ蓄積する撮影データ蓄積手順と、  前記カメラにおけるカメラ撮影領域等を調整するためのカメラ制御データの入力を受け付けるカメラ制御データ入力手順と、  そのカメラ制御データ入力手順にて入力されたカメラ制御データを前記の監視装置における無線通信装置へ送信するデータ送信手順と、を前記の監視サーバに実行させることとしたコンピュータプログラムである。
【００２９】
（第三の発明のバリエーション１）
第三の発明は、以下のように構成することもできる。
すなわち、前記の監視装置に被監視領域(90)にて発生する音を集めるマイク(40)を備えられ、  前記の無線通信装置(60)は前記マイク(40)によって集音された音声データを管理サーバ(70)へ送信することとしている場合において、
前記の音声データを受信する音声データ受信手順と、その音声データを蓄積する音声データ蓄積手順と、を前記の監視サーバに実行させることとしたコンピュータプログラムとしてもよい。
【００３０】
（第三の発明のバリエーション２）
第三の発明は、以下のように構成することもできる。
すなわち、前記の監視装置に画像データを出力可能なディスプレイ(30)が備えられている場合において、
そのディスプレイ(30)へ出力するための画像データを出力画像データベース（たとえば広告データベース73）へ蓄積する出力画像データ蓄積手順と、  その蓄積された出力画像データを監視装置へ送信する出力画像データ送信手順と、を前記の監視サーバに実行させることとしたコンピュータプログラムとしてもよい。
【００３１】
（コンピュータプログラムの発明）
第二の発明に係るコンピュータプログラムは、記録媒体に格納して配布すること、および通信設備を介して送信することによって配布することが可能である。
【発明の効果】
【００３２】
本発明は、被監視領域に対する取付作業およびそれに伴う調整作業を簡略化できる監視技術を提供することができた。
【図面の簡単な説明】
【００３３】
【図１】本願発明の第一の実施形態に係るハードウェアの斜視図である。
【図２】本願発明の第一の実施形態に係るハードウェアの平面図を示す。
【図３】本願発明の第一の実施形態に係るハードウェアを駐車場に取り付けた様子を示す。
【図４】本願発明の第一の実施形態に係るハードウェア構成を示すブロック図である。
【図５】本願発明の第一の実施形態に係るハードウェア構成において、カメラを制御する状態を示すブロック図である。
【図６】本願発明の第二の実施形態に係るハードウェアの斜視図である。
【図７】本願発明の第三の実施形態に係るハードウェアの斜視図である。
【符号の説明】
【００３４】
１０；  筐体                      １１；  開閉つまみ
１２；  冷却ファン
１５；  ブラケット                １６；  ポール
２０；  カメラ                    ２１；  カメラ内蔵機器
３０；  ディスプレイ              ３１；  ディスプレイ内蔵機器
４０；  マイク                    ４１；  音声用アンプ
５０；  プラグ                    ５１；  ＰＦカン
５２；  電源アダプタ
５５；  電源ボックス
６０；  無線通信装置              ６９；  無線通信網
７０；  管理サーバ                ７１；  データ受信装置
７２；  管理データベース          ７３；  広告データベース
７４；  データ送信装置            ７５；  画像データ出力装置
７６；  カメラ制御データ入力装置  ７７；  閲覧用サーバ
８０；  携帯端末
９０；  駐車場                    ９１；  駐車車両
９２；  駐車車両
【発明を実施するための形態】
【００３５】
本願発明を実施する形態について、図１から図７を用いて説明する。図１から図5は、本発明における第一の実施形態を示している。図６は第二の実施形態を、図７は第三の実施形態を示している。
【００３６】
（図３）
図３に示すように、被監視領域としての駐車場９０には、その駐車場９０の広さに合わせた本数のポール１６が立てられている。そのポール１６は、駐車場９０を監視するための監視装置およびその監視装置が必要とする電気を供給する電源ボックス５５が固定されている。
【００３７】
電源ボックス５５は、いたずらを防止するため、人間が手を伸ばしても届かない高さに固定されている。そして、監視装置は、その電源ボックス５５の更に上方へ固定されている。そして、電源ボックス５５には、監視装置から出たプラグ５０を差し込む差し込み口があり、監視装置が必要とする電気を供給している。
【００３８】
前述の監視装置は、駐車場９０に駐車された駐車車両９１，９２，・・・を撮影可能なカメラ２０を備え、そのカメラ（ドームカメラ）２０を固定した筐体１０が備えられている。その筐体１０は、ブラケット１５を用いて、前記のポール１６へ固定されている。
さて、カメラ２０は、駐車場９０に駐車された駐車車両９１，９２，・・・を撮影するのに、最も適した取り付け角度や高さとなるように固定すべきである。カメラ２０のスペックから計算すれば、おおよその高さや取り付け角度にて、ブラケット１５にてポール１６へ固定することは可能である。しかし、撮影される画像が適正となるには、調整作業が必要となるのが一般的であった。
【００３９】
本実施形態に係る監視装置（およびその関連システム）は、上記の調整作業を簡略化できることが、特徴の一つである。すなわち、筐体１０およびカメラ２０の設置は大まかに行い、調整作業は遠隔で行えるのである。以下、順に説明する。
【００４０】
（図１）
図１は、前記の監視装置の斜視図である。
筐体１０から突出してカメラ２０が固定されている。筐体１０の下面からは、前述したプラグ５０およびそのプラグ５０と筐体１０の内部とをつなぐＰＦカン５１が突出している。  また、駐車場９０の音を拾うためのマイク４０が設けられている。
筐体１０における駐車場９０の面には、ディスプレイ３０が設けられており、駐車場９０にいる駐車場利用者が見ることができる。なお、ディスプレイ３０には、図示を省略したスピーカを備えており、駐車場９０に向かっての音声出力が可能である。
筐体１０におけるディスプレイ３０側の面には、筐体１０内部に収納された各種の機器の点検整備のため、開閉つまみ１１が設けられている。図示を省略しているが、この開閉つまみ１１は、鍵を用いなければ開閉できない。
【００４１】
（図２）
図２には、筐体１０の内部構造を簡単に示している。
前述のプラグ５０は、ＰＦカン５１を介して電源アダプタ５２とつながっており、電源アダプタ５２およびＰＦカン５１の一部は筐体１０に内蔵されている。
マイク４０の集音部分は筐体１０の外表面へ突出させてあるものの、そのマイク４０が集音した音声をデジタル化するなどの作用を奏する音声用アンプ４１は筐体１０に内蔵されている。そして、その音声用アンプ４１は、前記の電源アダプタ５２に接続されている。
【００４２】
図２においては図示を省略したカメラ２０は、筐体１０に内蔵されたカメラ内蔵機器２１に対して、撮影した画像データを蓄積させる。また、カメラ内蔵機器２１は、カメラ２０の基本姿勢や画角などを調整する機構への制御信号（カメラ制御データ）を発信できる。
図２においては図示を省略したディスプレイ３０は、筐体１０に内蔵されたディスプレイ内蔵機器３１からの信号を受けて、各種の画像を出力する。出力する画像データは、ディスプレイ内蔵機器３１へ一時的に格納される。その後、所定期間を経過したり、管理サーバへ送信済みの画像データを消去したりする。
【００４３】
カメラ２０が撮影した画像データを送信したり、前述したカメラ制御データを受信したりするのは、筐体１０へ内蔵された無線通信装置６０による機能にて実現される。この無線通信装置６０は、携帯電話回線への接続が可能な通信機器である。この無線通信装置６０は、前記のカメラ内蔵機器２１、ディスプレイ内蔵機器３１とのデータ送受信が可能である。
なお、図４に示しているが、前記マイク４０が取得した音声データを送信することも可能である。
【００４４】
無線通信機器６０、ディスプレイ内蔵機器３１、カメラ内蔵機器２１などが作動することによって発生する熱を筐体１０の外部へ排出するための冷却ファン１２も、筐体１０に内蔵されている。そしてその冷却ファン１２の動力も、電源アダプタ５２から供給される。
【００４５】
（図４）
図４には、監視装置のカメラ２０が取得した画像データを、駐車場９０からは離れた位置にある管理サーバ７０へ送信したり、管理サーバ７０から各種のデータを監視装置へ送信したりする様子を示している。
カメラ２０が取得した画像データは、カメラ内蔵機器２１を介して無線通信装置６０へ送られ、その無線通信装置６０から無線通信網６９を介して管理サーバ７０へ送信される。送信された画像データは、管理サーバ７０のデータ受信装置７１が受信し、管理データベース７２へ蓄積される。
マイク４０が取得した音声データについても、音声用アンプ４１および無線通信装置６０を介して管理サーバ７０のデータ受信装置７１が受信し、管理データベース７２へ蓄積される。
【００４６】
管理サーバ７０は、監視装置へデータを送信することもできる。たとえば、広告データを広告データベース７３へ予め蓄積しておき、データ送信装置７４を介して、無線通信網６９を経由させて無線通信装置６０へ送り込む。送り込まれた広告データは、ディスプレイ３０を介して出力される。  ここにおいて、駐車場を利用する人に対して、広告データを配信できることとなる。
【００４７】
図５には、大まかに行われた筐体１０およびカメラ２０の設置に対して、カメラ２０を適正な状態とするためのカメラ制御データについて示している。
図４に示したような状態で、大まかに設置されたカメラ２０が取得した画像データを、画像データ出力装置７５へ出力させる。出力させた画像データを管理サーバ７０の管理者が目視し、カメラ制御データ入力装置７６を用いてカメラ制御データを入力する。入力されたカメラ制御データはデータ送信装置７４を介して、監視装置の無線通信装置６０へ送信され、カメラ内蔵機器２１を介してカメラ２０の画角などを修正する。
【００４８】
画角などを修正されたカメラ２０は、修正後に撮影した加増データを再び管理サーバ７０へ送信する。そして、上述したようなカメラ制御データの再入力が行われる。
上記の作業を何度か繰り返すことで、カメラ２０は、駐車場９０を管理するのに適切な画角やピントを備えることとなる。この調整作業は、従来のように現場にてカメラの画角やピントを調整する作業（平均で数時間）と比べると、格段に合理化（平均で一時間以内）されている。
【００４９】
マイク４０が取得した音声データについては、以下のような使い方をしても良い。
まず、データ受信装置７１は、マイク４０が集音した音声データを受信し、前記の管理データベース７２がその音声データを蓄積する。
たとえば、音声データが所定以上の音量であったり、車両へのいたずらが想定される所定周波数の音声などであったりした場合には、管理データベース７２に蓄積される画像データを重要データとして消去しないように保存する。
一般に、管理データベース７２へ蓄積される画像データは、所定期間が経過したら消去し、それによって新たな画像データを蓄積できる領域を確保するが、前記の「重要データ」は、後に必要となる場合が想定されるので、消去する所定期間を通常の画像データよりも長い期間とするなどして管理することとしてもよい。
【００５０】
前述したように、本実施形態に係る監視装置は設置が簡単であるので、設置してあった場所から別の場所へ移動させ、その場所へ設置することも、当然簡単に行える。
また、カメラ２０、マイク４０およびディスプレイ３０の両方を備えた監視装置であるので、駐車場９０にいる人と管理サーバ７０を操作する人とが、双方向通信によるコミュニケーションをすることができる。  たとえば、カメラ２０が駐車場９０にいる人の姿を、管理サーバ７０を操作する管理人が確認できるので、電話によるコミュニケーションよりも、双方とも安心度を高められる。
【００５１】
（図６）
図６は、図１との比較で説明する。
すなわち、図６に示した第二の実施形態は、図１に示した第一の実施形態と異なり、監視装置にはディスプレイ３０が設けられていない。そのため、駐車場９０にいる人へ提供する広告の質が低下したり（図示を省略したスピーカに基づく音声による出力のみであるため）、駐車場９０にいる人と管理サーバ７０を操作する人とによるコミュニケーションの質が低下したりする。
しかし、ディスプレイ３０を省略することにより、図２に示したディスプレイ内蔵機器３１も省略でき、管理サーバ７０においては広告データベース７３も省略（または簡素化）することができるため、初期投資を抑えることができる、というメリットがある。
【００５２】
（図７）
図７は、駐車場の利用者が、スマートフォンなどの携帯電話にて、駐車場の画像データを閲覧することができるシステムを図示している。
管理サーバ７０には、駐車場から送信された画像データや音声データをデータ受信装置７１にて受信するが、その画像データや音声データを閲覧できる閲覧用サーバ７７を備えることとする。
【００５３】
駐車場の利用者が、この閲覧用サーバ７７へアクセスして画像データや音声データを得ることができるようにするには、自らに係る携帯電話８０を用いて、閲覧用サーバ７７からＩＤを取得し、パスワードを設定する必要がある。全く無関係な第三者が閲覧用サーバ７７へアクセスすることを防止するためである。
【００５４】
ＩＤおよびパスワードを用いて閲覧用サーバ７７へアクセスすれば、駐車場に設置されたカメラ２０が取得した画像データをリアルタイムで閲覧することも可能である。それによって、駐車場ユーザは安心を得ることができる。
【００５５】
なお、前述した携帯電話８０を、管理サーバ７０に係る管理者の携帯情報端末とし、特別な権限を付与することで図5に示したようなカメラ制御データを管理者の携帯情報端末から送信可能とすることも、当然可能である。  この場合、当該管理者は、管理サーバ７０から物理的に離れた場所にいても、カメラ２０の調整作業ができることとなる。
【産業上の利用可能性】
【００５６】
本願発明は、監視装置を製造する製造業、監視装置を機能させるための通信設備を提供するサービス業、駐車場などの被監視領域を監視するサービスを提供するサービス業、サービスを運用するためのソフトウェアを開発するソフトウェア開発業などにおいて、利用可能性を有する。
【図１】
2015008366.tif 000003
【図２】
2015008366.tif 000004
【図３】
2015008366.tif 000005
【図４】
2015008366.tif 000006
【図５】
2015008366.tif 000007
【図６】
2015008366.tif 000008
【図７】
2015008366.tif 000009